(57)【要約】【課題】複数の引越し業者の、各社の事情に沿ったデータベースを構築することができ、且つ、ユーザは、複数の引越し業者の引越し料金を一括で見積もることができる引越し見積もりシステムを提供する。【解決手段】引越し業者からの入力と、ユーザからの入力とにより、引越し業者ごとの引越し料金を算出する引越し料金見積もりシステムであって、引越し業者から受け付けた、業者家財情報、トラック情報、及び、作業員情報と、引越し業者とを対応付けて、引越しデータベースとし、ユーザから受け付けたユーザ家財情報と、業者家財情報とに基づいて、引越し業者ごとに家財総体積を算出し、家財総体積と、トラック情報とに基づいて、引越し業者ごとにトラック使用料金を決定し、業者家財情報と、ユーザ家財情報と、作業員情報とに基づいて、人件費を決定し、トラック使用料金と、人件費とに基づいて、引越し業者ごとの引越し料金を算出する。【選択図】      図１
2015210568.tif 000002
【特許請求の範囲】
【請求項１】
複数の引越し業者からの入力により引越しデータベースを構築し、ユーザからの入力と前記引越しデータベースとに基づいて、前記引越し業者ごとの引越し料金を算出する引越し料金見積もりシステムであって、
前記引越し業者から、家財の種類ごとの体積を含む業者家財情報の入力を受け付ける業者家財情報受付手段と、
前記引越し業者から、貨物室の体積、トラック種別、及び、トラック使用料金を含むトラック情報の入力を受け付けるトラック情報受付手段と、
前記引越し業者から、作業員の人数ごとの人件費を含む作業員情報の入力を受け付ける作業員情報受付手段と、
前記業者家財情報、前記トラック情報、及び、前記作業員情報と、前記引越し業者とを対応付けて、前記引越しデータベースとして記憶手段に記憶させるデータベース構築手段と、
前記ユーザから、家財の種類及び数量を含むユーザ家財情報の入力を受け付けるユーザ家財情報受付手段と、
前記ユーザ家財情報と、前記業者家財情報とに基づいて、前記引越し業者ごとに、前記家財の体積の合計値である家財総体積を算出する家財総量算出手段と、
前記家財総体積と、前記トラック情報に含まれる前記貨物室の体積とに基づいて、前記引越し業者ごとに前記トラック種別を特定し、トラック使用料金を決定するトラック料金決定手段と、
前記業者家財情報と、前記ユーザ家財情報と、前記作業員情報とに基づいて、前記人件費を決定する人件費決定手段と、
前記トラック料金決定手段が決定した前記トラック使用料金と、前記人件費決定手段が決定した前記人件費とに基づいて、前記引越し業者ごとの前記引越し料金を算出する引越し料金算出手段と、を備えることを特徴とする引越し料金見積もりシステム。
【請求項２】
前記作業員情報受付手段は、前記作業員の人数ごとに、前記家財の体積の合計値である可搬体積を、前記作業員情報として更に入力を受け付け、
前記人件費決定手段は、前記可搬体積と前記家財総体積とに基づいて前記人件費を決定することを特徴とする請求項１に記載の引越し料金見積もりシステム。
【請求項３】
前記業者家財情報受付手段は、前記家財の種類ごとの重量を前記業者家財情報として、更に入力を受け付け、
前記作業員情報受付手段は、前記作業員の人数ごとに、運搬可能な１つの前記家財の重量である最大可搬重量を、前記作業員情報として更に入力を受け付け、
前記人件費決定手段は、前記ユーザ家財情報に基づいて、重量が最大である前記家財の重量を最大家財重量として特定し、前記最大可搬重量と前記最大家財重量とに基づいて、前記人件費を決定することを特徴とする請求項１に記載の引越し料金見積もりシステム。
【請求項４】
前記業者家財情報受付手段は、前記家財の種類ごとの重量を前記業者家財情報として、更に入力を受け付け、
前記作業員情報受付手段は、前記作業員の人数ごとに、前記家財の体積の合計値である可搬体積、及び、運搬可能な１つの前記家財の重量である最大可搬重量を、前記作業員情報として更に入力を受け付け、
前記人件費決定手段は、前記ユーザ家財情報に基づいて、重量が最大である前記家財の重量を最大家財重量として特定し、前記可搬体積と前記家財総体積、及び、最大可搬重量と前記最大家財重量とに基づいて、前記人件費を決定することを特徴とする請求項１に記載の引越し料金見積もりシステム。
【請求項５】
前記引越し業者から、満載率と最低積載率とを前記トラック情報として、更に入力を受け付け、
前記トラック料金決定手段は、前記家財総体積が、前記貨物室の体積に前記満載率を乗算した値よりも小さい値となり、且つ、前記貨物室の体積に前記最低積載率を乗算した値よりも大きい値となる前記トラック種別を特定し、特定された前記トラック種別の内で前記貨物室の体積が最小であるトラック種別に基づいて、前記トラック使用料金を決定する請求項１〜４のいずれか１項に記載の引越し料金見積もりシステム。
【請求項６】
ユーザからの入力と、複数の引越し業者の情報を含む引越しデータベースとに基づいて、前記引越し業者ごとの引越し料金を算出する引越し料金見積もりシステムであって、
家財の種類ごとの体積を含む業者家財情報、貨物室の体積、トラック種別、及び、トラック使用料金を含むトラック情報、及び、作業員の人数ごとの人件費を含む作業員情報と、引越し業者とを対応付けた情報を含む前記引越しデータベースと、
前記ユーザから、家財の種類及び数量を含むユーザ家財情報の入力を受け付けるユーザ家財情報受付手段と、
前記ユーザ家財情報と、前記業者家財情報とに基づいて、前記引越し業者ごとに、前記家財の体積の合計値である家財総体積を算出する家財総量算出手段と、
前記家財総体積と、前記トラック情報に含まれる前記貨物室の体積とに基づいて、前記引越し業者ごとに前記トラックの種類を特定し、トラック使用料金を決定するトラック料金決定手段と、
前記業者家財情報と、前記ユーザ家財情報と、前記作業員情報とに基づいて、前記人件費を決定する人件費決定手段と、
前記トラック料金決定手段が決定した前記トラック使用料金と、前記人件費決定手段が決定した前記人件費とに基づいて、前記引越し業者ごとの前記引越し料金を算出する引越し料金算出手段と、を備えることを特徴とする引越し料金見積もりシステム。
【請求項７】
前記ユーザから前記引越し業者に対する引越し予約を受け付け、前記ユーザから受け付けた前記引越し予約に基づいて、前記引越し業者に通知を行う予約受付手段をさらに備えることを特徴とする請求項１〜６のいずれか１項に記載の引越し料金見積もりシステム。
【発明の詳細な説明】
【技術分野】
【０００１】
本発明は、顧客からの入力情報に基づいて引越し料金の見積もりを算出する、引越し見積もりシステムに関する。
【背景技術】
【０００２】
従来、顧客端末から入力された情報と、データベースに格納された情報とに基づいて、引越し料金の見積もりを行う引越し見積もりシステムとして、特許文献１に記載の引越し見積もりシステムがある。
【先行技術文献】
【特許文献】
【０００３】
【特許文献１】特許第４４９１５６９号
【発明の概要】
【発明が解決しようとする課題】
【０００４】
特許文献１記載の引越し見積もりシステムは、引越し業者が、引越し業者の事情に沿ったデータを用いてデータベースを構築して運営している。したがって、ユーザは、複数の引越し業者の料金を比較したい場合、各引越し業者の見積もりシステムを利用して各引越し業者の料金を取得する必要があり、煩わしさがあった。
【０００５】
本発明は、上記課題を解決するためになされたものであり、その主たる目的は、複数の引越し業者の、各社の事情に沿ったデータベースを構築することができ、且つ、ユーザは、複数の引越し業者の引越し料金を一括で見積もることができる引越し見積もりシステムを提供することにある。
【課題を解決するための手段】
【０００６】
本発明は、複数の引越し業者からの入力により引越しデータベースを構築し、ユーザからの入力と引越しデータベースとに基づいて、引越し業者ごとの引越し料金を算出する引越し料金見積もりシステムであって、引越し業者から、家財の種類ごとの体積を含む業者家財情報の入力を受け付ける業者家財情報受付手段と、引越し業者から、貨物室の体積、トラック種別、及び、トラック使用料金を含むトラック情報の入力を受け付けるトラック情報受付手段と、引越し業者から、作業員の人数ごとの人件費を含む作業員情報の入力を受け付ける作業員情報受付手段と、業者家財情報、トラック情報、及び、作業員情報と、引越し業者とを対応付けて、引越しデータベースとして記憶手段に記憶させるデータベース構築手段と、ユーザから、家財の種類及び数量を含むユーザ家財情報の入力を受け付けるユーザ家財情報受付手段と、ユーザ家財情報と、業者家財情報とに基づいて、引越し業者ごとに、家財の体積の合計値である家財総体積を算出する家財総量算出手段と、家財総体積と、トラック情報に含まれる貨物室の体積とに基づいて、引越し業者ごとにトラックの種類を特定し、トラック使用料金を決定するトラック料金決定手段と、業者家財情報と、ユーザ家財情報と、作業員情報とに基づいて、人件費を決定する人件費決定手段と、トラック料金決定手段が決定したトラック使用料金と、人件費決定手段が決定した人件費とに基づいて、引越し業者ごとの引越し料金を算出する引越し料金算出表示手段と、を備えることを特徴とする。
【０００７】
上記構成により、引越し業者が入力する情報を、家財情報、トラック情報、及び、作業員情報に統一しているため、各引越し業者は容易に、各引越し業者の事情に沿ったデータベースを構築することができる。さらに、家財の種類及び数に基づいて、複数の引越し業者の引越し料金を算出することが可能であるため、ユーザは、簡易な入力により複数の引越し業者の見積もり料金を取得することができる。
【図面の簡単な説明】
【０００８】
【図１】引越し見積もりシステムの構成を示す図である。
【図２】サーバの構成を示す図である。
【図３】業者家財情報設定画面を示している。
【図４】トラック情報設定画面を示している。
【図５】作業員情報設定画面を示している。
【図６】距離情報設定画面を示している。
【図７】掛け率情報設定画面を示している。
【図８】引越し情報入力画面を示している。
【図９】ユーザ家財入力画面を示している。
【図１０】引越し料金見積もり処理を示すフローチャートである。
【図１１】引越し料金表示画面を示している。
【発明を実施するための形態】
【０００９】
図１は、一実施形態に係る引越し見積もりシステムの構成を示す図である。引越し見積もりシステムは、サーバ１０と、サーバ１０とネットワークを介して接続された複数の引越し業者端末１００と、サーバ１０とネットワークを介して接続された複数のユーザ端末２００とにより構成されている。引越し業者端末１００及びユーザ端末２００としては、通信手段、ディスプレイ、及び、入力手段を備えた、パーソナルコンピュータ、タブレット型端末、スマートフォン等を用いることができる。
【００１０】
図２は、サーバ１０の構成を示している。サーバ１０は、ＣＰＵ１１、通信手段１２、記憶手段１３を備えている。ＣＰＵ１１は、通信手段１２を介して引越し業者端末１００と情報の送受信を行い、引越し業者端末１００を使用する引越し業者に関する情報を記憶手段１３へ記録する。一方、ＣＰＵ１１は、通信手段１２を介してユーザ端末２００との情報の送受信を行い、記憶手段１３に記録された情報を用いて引越し料金を算出し、ユーザ端末２００へ引越し料金に関する情報を送信する。
【００１１】
記憶手段１３には、引越し業者ごとに、基本情報２０、業者家財情報３０、トラック情報４０、作業員情報５０、移動料金情報６０、掛け率情報７０、及び、予約状況８０が、引越し業者名又は引越し業者ＩＤ１４に対応付けられて、引越し業者情報として記録されている。そして、複数の引越し業者情報により、引越しデータベースが構築されている。基本情報２０は、引越し業者を紹介する引越し業者画像及び引越し業者紹介文、及び、引越し業者が対応可能なエリアである都道府県名及び市区町村名を含んでいる。
【００１２】
業者家財情報３０は、引越し業者が設定する、家財に関する情報を含んでいる。トラック情報４０は、引越し業者が所有するトラックに関する情報を含んでいる。作業員情報５０は、引越し業者の作業員に関する情報を含んでいる。移動料金情報６０は、引越し業者が、引越し元から引っ越し先へと移動する際の距離に応じて発生する料金に関する情報を含んでいる。掛け率情報７０は、引越し日に応じて設定される、引越し料金の割増率及び割引率に関する情報を含んでいる。予約状況８０は、日時と対応付けられた、その引越し業者が受け付けた引越し予約を含んでいる。
【００１３】
記憶手段１３には、引越し業者端末１００のディスプレイに、業者家財情報設定画面、トラック情報設定画面、作業員情報設定画面、移動料金情報設定画面、及び、掛け率情報設定画面を表示させる表示データが記憶されている。各設定画面の表示データは、引越し業者が各設定画面に対応する情報の入力を行う際に、ＣＰＵ１１により記憶手段１３から読み出され、ＣＰＵ１１により通信手段１２を介して引越し業者端末１００へ送信され、引越し業者端末１００のディスプレイに表示される。
【００１４】
また、記憶手段１３には、ユーザ端末２００のディスプレイに、引越し情報入力画面、ユーザ家財情報表示画面、及び、引越し料金表示画面を表示させる表示データも記憶されている。引越し情報入力画面の表示データは、ユーザが、引越し元、引越し先及び引越し日時を含む引越し情報の入力を行う際に、ＣＰＵ１１により記憶手段１３から読み出され、ＣＰＵ１１により通信手段１２を介してユーザ端末２００へ送信され、ユーザ端末２００のディスプレイに表示される。ユーザ家財情報入力画面の表示データは、ユーザが、家財の量を示すユーザ家財情報の入力を行う際に、ＣＰＵ１１により記憶手段１３から読み出され、ＣＰＵ１１により通信手段１２を介してユーザ端末２００へ送信され、ユーザ端末２００のディスプレイに表示される。引越し料金表示画面の表示データは、ＣＰＵ１１により引越し料金が算出された後に、ＣＰＵ１１により記憶手段１３から読み出され、ＣＰＵ１１により通信手段１２を介してユーザ端末２００へ送信され、ユーザ端末２００のディスプレイに表示される。
【００１５】
＜引越し業者入力処理＞
引越し業者は、引越し業者端末１００を用いてサーバ１０にアクセスし、業者家財情報３０、トラック情報４０、作業員情報５０、移動料金情報６０、掛け率情報７０の入力を行う。
【００１６】
図３は、引越し業者が業者家財情報３０を入力する際に、引越し業者端末１００のディスプレイに表示される業者家財情報設定画面を示している。業者家財情報設定画面では、予め定められた家財の種類３１が表示され、それぞれの家財に対して、重量３２と体積３３の入力を受け付ける。
【００１７】
ここで、それぞれの家財の種類３１に対応する重量３２及び体積３３は、各引越し業者が経験則等に基づいて設定する。例えば、図３では、ソファー（３人掛け）に対して、重量３２が４０ｋｇであると想定して入力されており、大きさが、幅１５０ｃｍ、奥行き１００ｃｍ、高さ１００ｃｍであると想定し、体積３３として１．５ｍ＾３が入力されている。
【００１８】
また、上述したとおり、家財の重量３２及び体積３３は引越し業者ごとに異なった設定がなされる。そのため、業者によっては、ソファー（３人掛け）に対して、重量が３０ｋｇであると想定して入力し、大きさが、幅１２０ｃｍ、奥行き１００ｃｍ、高さ８０ｃｍであると想定し、体積を０．９６ｍ＾３と入力することもあり得る。
【００１９】
引越し業者は、家財の種類３１に対応する重量３２及び体積３３に対して入力又は修正を行った後、更新アイコン３４に対する選択入力を行う。そして、入力又は修正された業者家財情報３０がサーバ１０へ送信され、サーバ１０に備えられる記憶手段１３に記録された業者家財情報３０が更新される。なお、このとき、サーバ１０のＣＰＵ１１は、業者家財情報受付手段として機能する。
【００２０】
図４は、引越し業者がトラック情報４０を入力する際に、引越し業者端末１００のディスプレイに表示されるトラック情報設定画面を示している。トラック情報設定画面では、トラック名４１と、貨物室サイズ４２と、満載率４３と、最低積載率４４と、料金４５と、台数４６とが表示される。
【００２１】
トラック名４１は、各引越し業者が所有するトラック種別に対応する名称を示しており、各引っ越し業者が名称を入力することができる。
【００２２】
貨物室サイズ４２は、トラックの貨物室の大きさを示しており、各引越し業者が、貨物室の長さ４２ａ、幅４２ｂ、及び高さ４２ｃを入力することができ、入力された貨物室の長さ４２ａ、幅４２ｂ、及び高さ４２ｃに基づいて貨物室の体積４２ｄが算出される。
【００２３】
満載率４３は、貨物室の体積４２ｄに対して、積載される家財の総体積の割合が何％である場合を満載扱いとするかを示している。例えば、満載率４３が８０％である場合、図４における２ｔロングのトラックの貨物室の体積４２ｄが１７．０ｍ＾３であるため、家財の総体積が１３．６ｍ＾３である場合に満載扱いとされる。
【００２４】
ここで、満載率４３が１００％であることを想定した場合、家財の総体積が、トラックの貨物室の体積４２ｄと等しくなることを意味する。しかしながら、貨物室の体積４２ｄと等しい総体積の家財を積載するということは、家財を貨物室に対して隙間無く積載することを意味する。また、各家財の体積は、各引越し業者が設定するものであり、すべての家財が設定された体積どおりの家財であるとは限らない。したがって、満載率４３を１００％とすると、積み残しが発生する事態が起こり得る。よって、満載率４３は、高くても９０％程度に設定することが好ましい。
【００２５】
最低積載率４４は、トラックの貨物室の体積４２ｄに対する家財の総体積の割合が何％以上である場合に、そのトラックを使用するかを示している。例えば、貨物室の体積４２ｄに対して、家財の総体積が大幅に少ない場合を排除することができる。なお、貨物室の体積４２ｄに対して家財の総体積が大幅に少ないことを許容できるのであれば、最低積載率４４は０％でもかまわない。
【００２６】
料金４５はトラックの種類ごとのトラック使用料金を示しており、台数４６は、その引越し業者が所有するトラックの種類ごとの数を示している。
【００２７】
引越し業者が変更／追加アイコン４７を選択することにより、トラック情報入力ウィンドウが表示される。図４（ｂ）は、トラック情報入力ウィンドウを示している。トラック情報入力ウィンドウでは、上述したトラック名４１、長さ４２ａ、幅４２ｂ、高さ４２ｃ、満載率４３、最低積載率４４、料金４５、台数４６にそれぞれ対応する、トラック名４１’、長さ４２ａ’、幅４２ｂ’、高さ４２ｃ’、満載率４３’、最低積載率４４’、料金４５’、台数４６’の入力を受け付ける。
【００２８】
引越し業者は、トラック情報入力ウィンドウへの入力操作の後、保存アイコン４８ａ、キャンセルアイコン４８ｂ、削除アイコン４８ｃのいずれかを選択する。保存アイコン４８ａが選択されれば、トラック情報入力ウィンドウの入力内容がサーバ１０へ送信され、トラック情報４０が更新されるとともに、トラック情報設定画面の表示内容が更新される。キャンセルアイコン４８ｂが選択されれば、入力内容はサーバ１０へ送信されず、トラック情報設定画面へと遷移する。削除アイコン４８ｃが選択されれば、該当するトラック情報４０の削除要求がサーバ１０へ送信されて、該当するトラック情報４０が記憶手段１３から削除されるとともに、トラック情報設定画面の表示内容が更新される。なお、このとき、サーバ１０のＣＰＵ１１は、トラック情報受付手段として機能する。
【００２９】
図５（ａ）は、引越し業者が作業員情報５０を入力する際に、引越し業者端末１００のディスプレイに表示される作業員情報設定画面を示している。作業員情報設定画面には、作業員数５１と、最大可搬重量５２と、可搬体積５３と、日当５４と、対応トラック５５とが表示される。
【００３０】
最大可搬重量５２は、対応付けられた作業員数５１で運搬可能な家財の最大重量を示している。図５では、作業員数５１が１人の場合の最大可搬重量５２は５５ｋｇであり、作業員数５１が２人の場合の最大可搬重量５２は１１０ｋｇである。したがって、例えば、図３の家財設定画面で設定された家財における冷蔵庫（３ドア以上）は、重量３２が６４ｋｇであるため、２人以上の作業員が必要となる。
【００３１】
可搬体積５３は、対応付けられた作業員数５１により、運搬可能な家財の総体積を示している。日当５４は、作業員数５１に対応する人件費を示している。対応トラック５５は、その引越し業者がトラック情報入力画面で入力し、トラック情報４０に含まれるトラックの種類のうち、作業員数５１に対応するトラックの種類を示している。対応トラック５５は、トラックの大きさに対して、作業員の人数が少ない場合、及び、多い場合を防ぐために用いられる。
【００３２】
引越し業者が変更／追加アイコン５６を指示入力することにより、作業員情報入力ウィンドウが表示される。図５（ｂ）は、作業員情報入力ウィンドウを示している。作業員情報入力ウィンドウでは、上述した作業員数５１、最大可搬重量５２、可搬体積５３、日当５４、対応トラック５５にそれぞれ対応する、作業員数５１’、最大可搬重量５２’、可搬サイズ５３’、日当５４’、対応トラック５５’の入力を受け付ける。対応トラック５５’には、トラック情報設定画面で設定されたトラック名が選択可能に表示される。
【００３３】
引越し業者は、入力の後、保存アイコン５７ａ、キャンセルアイコン５７ｂ、削除アイコン５７ｃのいずれかを選択する。保存アイコン５７ａが選択されれば、作業員情報入力ウィンドウの入力内容がサーバ１０へ送信され、記憶手段１３の作業員情報５０が更新されるとともに、作業員情報設定画面の表示内容が更新される。キャンセルアイコン５７ｂが選択されれば、入力内容はサーバ１０へ送信されず、作業員情報設定画面へと遷移する。削除アイコン５７ｃが選択されれば、該当する作業員情報５０の削除要求がサーバ１０へ送信されて、該当する作業員情報５０が記憶手段１３から削除されるとともに、作業員情報設定画面の表示内容が更新される。なお、このとき、サーバ１０のＣＰＵ１１は、作業員情報受付手段として機能する。
【００３４】
図６は、引越し業者が移動料金情報６０を入力する際に、引越し業者端末１００のディスプレイに表示される移動料金情報設定画面を示している。トラック名６１は、トラック情報設定画面において入力されたトラック名が表示される。最低料金６２は、移動距離に応じて加算される料金がこの金額に満たない場合に、設定される料金を示している。１ｋｍごとの料金６３は、トラックごと、及び、利用道路ごとに、距離と対応付けられて設定される。例えば、トラック名が「２ｔ」であるトラックを使用する場合、１５ｋｍまでの移動であるならば、距離料金は最低料金６２の３０００円となり、１５ｋｍを超えれば、１ｋｍごとの料金の積算値が料金となる。
【００３５】
図７は、引越し業者が掛け率情報７０を入力する際に、引越し業者端末１００のディスプレイに表示される掛け率設定画面を示している。掛け率設定画面として表示されるのは、日ごとの掛け率を設定するための掛け率設定カレンダーである。掛け率設定カレンダーには、曜日７１と日付７２が表示されるとともに、日付７２に対応する欄７３に掛け率が入力可能となっている。日付７２に対応する欄７３の上段７３ａは、引越しが午前に行われる場合の掛け率であり、中段７３ｂは引越しが午後に行われる場合の掛け率であり、下段７３ｃは、時間を問わない場合の掛け率である。掛け率の単位はパーセントで表されている。例えば、土曜日の午後に引越しが行われるのであれば、料金が１．１倍となることを示している。なお、掛け率設定カレンダーにおいて、空欄となっている箇所は、掛け率が１００であることを示している。
【００３６】
以上のよう入力された引越し業者情報は、サーバ１０が備える記憶手段１３に記憶され、引越しデータベースが構築される。すなわち、サーバ１０のＣＰＵ１１が、データベース構築手段として機能することとなる。
【００３７】
＜ユーザ入力処理＞
ユーザは、ユーザ端末２００を用いてサーバ１０へアクセスし、引越し情報及びユーザ家財情報を含むユーザ情報の入力を行う。
【００３８】
図８は、ユーザが引越し情報を入力する際に、ユーザ端末２００のディスプレイに表示される引越し情報入力画面を示している。ユーザは、まず、出発日時２０１を入力する。出発日時２０１は、出発日２０１ａ及び出発時間帯２０１ｂを含んでいる。出発日２０１ａは、特定の日の選択入力であってもよいし、特定の月の特定の曜日の選択入力であってもよい。また、特定の月に対して上旬か、中旬か、下旬かの選択入力であってもよい。出発時間帯２０１ｂは、午前と、午後と、時間帯を問わないものとから選択される。
【００３９】
ユーザは、次に、引越し元と引越し先の入力を行う。引越し元と引越し先の入力は、例えば、引越し元入力欄２０２及び引越し先入力欄２０３を用いて行われる。
【００４０】
引越し情報の入力がなされれば、サーバ１０からユーザ端末２００へ表示データが送信され、ユーザ家財情報入力画面へと遷移する。図９は、ユーザ端末２００のディスプレイに表示されるユーザ家財情報入力画面を示している。ここで、ユーザ家財情報入力画面に表示される家財の種類２０４は、業者家財情報３０の入力を受け付ける際に、引越し業者端末１００のディスプレイに表示される家財設定画面における、家財の種類３１と同じ種類である、予め定められた家財の種類２０４である。ユーザは、引越し元に存在する家財の種類及び数量に基づいて、数量２０５を入力する。
【００４１】
以上のように入力されたユーザ情報は、ユーザが見積もりアイコン２０６の指示入力を行うことにより、ユーザ端末２００からサーバ１０に送信される。ここで、サーバ１０のＣＰＵ１１は、ユーザ家財情報受付手段として機能する。そして、サーバ１０では引越し料金の見積もりが行われる。
【００４２】
＜引越し料金見積もり処理＞
図１０は、サーバ１０のＣＰＵ１１が、所定のプログラムに基づいて実行する、引越し料金見積もり処理のフローチャートである。図１０に示す引越し料金見積もり処理は、記憶手段に記録されているすべての引越し業者について実行され、引越し業者の抽出及び引越し料金の算出が行われる。
【００４３】
まず、ユーザ端末２００から入力された、引越し予定日時、引越し元、引越し先、及び、ユーザ家財情報を取得する（Ｓ１０１）。そして、取得した引越し元及び引越し先に基づいて、引越し元と引越し先がその引越し業者の対応エリアであるか否かの判定が、データベースの基本情報２０を参照することにより行われる（Ｓ１０２、Ｓ１０３）。
【００４４】
引越し元と引越し先の少なくともいずれか一方が対応エリアでないと判定されれば（Ｓ１０２：ＮＯ、Ｓ１０３：ＮＯ）、その引越し業者を除外し（Ｓ１１３）、処理を終了する。そして、次の引越し業者に対する処理へ移行する。
【００４５】
引越し元と引越し先が共に対応エリアであると判定された場合には（Ｓ１０２：ＹＥＳ、Ｓ１０３：ＹＥＳ）、引越し予定日時が対応可能日時に含まれているか否かの判定が、データベースの予約状況８０を参照することにより行われる（Ｓ１０４）。すなわち、ユーザ端末から入力された引越し予定日時について、既に所定数の予約がなされていれば、引越し予定日時が対応可能日時に含まれていないと判定される。引越し予定日時が対応可能日時に含まれていないと判定された場合（Ｓ１０４：ＮＯ）、その引越し業者を除外し（Ｓ１１３）、処理を終了する。そして、次の引越し業者に対する処理へ移行する。
【００４６】
引越し予定日時が対応可能日時に含まれていると判定されれば（Ｓ１０４：ＹＥＳ）、入力されたユーザ家財情報と、引越しデータベースに記憶された業者家財情報３０とに基づいて、各家財の体積の合計値である家財総体積を算出する（Ｓ１０５）。ここで、サーバ１０のＣＰＵ１１は、家財総量算出手段として機能する。家財総体積は、各家財の体積に、各家財の数量を乗算して家財ごとの合計体積を算出したうえで、家財ごとの合計体積を全ての家財について積算することにより算出される。
【００４７】
また、ユーザ家財情報において数量に対して１以上の値が入力された家財の中から、重量が最大の家財の重量を最大家財重量として特定する（Ｓ１０５）。例えば、図９で示したユーザ家財情報入力画面におけるすべての家財の数量２０５が１以上であり、図３で示した業者家財情入力画面で示した家財の重量３２が業者家財情報３０として登録されているとする。このとき、図３で示した業者家財情報入力画面において、重量３２が最大である家財の種類３１は洗濯機（ドラム）であり、その重量３２は７２ｋｇである。したがって、この場合には、最大家財重量が７２ｋｇとして特定される。
【００４８】
次に、作業員数を示す値であるｎを１に設定し（Ｓ１０６）、家財総体積が、作業員数がｎの場合の可搬体積以下であるか否かを判定する（Ｓ１０７）。家財総体積が、作業員数がｎの場合の可搬体積以下でないと判定されれば（Ｓ１０７：ＮＯ）、ｎが最大値であるか否かを判定する（Ｓ１０８）。ここで、ｎの最大値は、作業員情報５０に含まれる作業員数の最大値である。ｎが最大値であると判定されれば（Ｓ１０８：ＹＥＳ）、その引越し業者を除外し（Ｓ１１３）、処理を終了する。そして、次の引越し業者に対する処理へ移行する。
【００４９】
一方、ｎが最大値でないと判定されれば（Ｓ１０８：ＮＯ）、ｎに１を加算し（Ｓ１０９）、再度、家財総体積が、作業員数がｎの場合の可搬体積以下であるか否かを判定する（Ｓ１０７）。
【００５０】
家財総体積が、作業員数がｎの場合の可搬体積以下であると判定されれば（Ｓ１０７：ＹＥＳ）、最大家財重量が、作業員数がｎの場合の最大可搬重量以下であるか否かを判定する（Ｓ１１０）。最大家財重量が、作業員数がｎの場合の最大可搬重量以下でないと判定されれば（Ｓ１１０：ＮＯ）、ｎが最大値であるか否かを判定する（Ｓ１１１）。ｎが最大値であると判定されれば（Ｓ１１１：ＹＥＳ）、その引越し業者を除外し（Ｓ１１３）、処理を終了する。そして、次の引越し業者に対する処理へ移行する。
【００５１】
一方、ｎが最大値でないと判定されれば（Ｓ１１１：ＮＯ）、ｎに１を加算し（Ｓ１１２）、再度、最大家財重量が、作業員数がｎの場合の最大可般重量以下であるか否かを判定する（Ｓ１１０）。
【００５２】
最大家財重量が、作業員数がｎの場合の最大可般重量以下であると判定されれば（Ｓ１１０：ＹＥＳ）、最小のトラックを選出する（Ｓ１１４）。ここでは、作業員数がｎの場合に対応する対応トラックの中で、貨物室の体積に満載率を乗算した値が家財総体積以上であり、且つ、貨物室の体積に最低積載率を乗算した値が家財総体積以下である、貨物室の体積が最小のトラックが選出される。
【００５３】
最小のトラックが選出された後、データベースの予約状況８０を参照することにより、選出されたトラックの空きが有るか否かを判定する（Ｓ１１５）。選出されたトラックの空きが無いと判定された場合（Ｓ１１５：ＮＯ）、次に小さいトラックが有るか否かを判定する（Ｓ１１６）。ここでは、貨物室の体積に満載率を乗算した値が家財総体積以上であり、且つ、貨物室の体積に最低積載率を乗算した値が家財総体積以下である、空きが無いと判定されたトラックの次に小さいトラックが有るか否かの判定を行う。次に小さいトラックが無いと判定された場合（Ｓ１１６：ＮＯ）、その引越し業者を除外し（Ｓ１１３）、処理を終了する。そして、次の引越し業者に対する処理へ移行する。
【００５４】
一方、次に小さいトラックが有ると判定された場合（Ｓ１１６：ＹＥＳ）、そのトラックを選出し（Ｓ１１７）、選出されたトラックの空きが有るか否かを判定する（Ｓ１１５）。
【００５５】
選出されたトラックの空きが有ると判定されれば（Ｓ１１５：ＹＥＳ）、基本料金が算出される（Ｓ１１８）。基本料金は、作業員数がｎである場合に対応する日当と、選出されたトラックに対応付けられたトラック料金とを加算することにより、算出される。ここで、サーバ１０のＣＰＵ１１は、人件費決定手段及びトラック料金決定手段として機能する。
【００５６】
次に、引越し元と、引越し先とに基づいて、移動距離が特定される（Ｓ１１９）。移動距離は、例えば、引越し元から引越し先への最短距離となる道路、又は、引越し元から引越し先へ最短時間で移動することができる道路が選択されることにより、求められる。すなわち、例えば、引越し元から、引越し元の最寄りの有料道路出入り口までの一般道の距離と、引越し元の最寄りの有料道路出入り口から、引越し先の最寄りの有料道路出入り口までの有料道路の距離と、引越し先の最寄りの有料道路出入り口から、引越し先までの距離とにより特定される。なお、引越し元と引越し先の位置関係によっては、有料道路を用いないものともなり得るし、一旦有料道路から一般道へと降りた後、再度有料道路を利用するものともなり得る。
【００５７】
移動距離が特定されれば、移動料金情報６０に基づいて移動料金が算出される（Ｓ１２０）。すなわち、一般道の距離の合計値に、移動料金情報６０に含まれる、選出されたトラックに対応する１ｋｍあたりの料金を乗算して一般道料金を算出し、有料道路の距離の合計値に、移動料金情報６０に含まれる、選出したトラックに対応する１ｋｍあたりの料金を乗算して有料道路料金を算出する。そして、一般道料金と有料道路料金とを加算して、移動料金を算出する。
【００５８】
そして、引越し予定日時に基づいて、掛け率が特定される（Ｓ１２１）。ここで、掛け率は、日が特定されていれば、その日に対応する掛け率が特定され、曜日が特定されていれば、その曜日に対応する掛け率の中で、最も低い掛け率が特定され、月における上旬か、中旬か、下旬かが特定されていれば、その中で最も低い掛け率が特定される。
【００５９】
最後に、算出された基本料金と移動料金を加算した上で、掛け率を乗算することにより、引越し料金を算出し（Ｓ１２２）、処理を終了する。ここで、ＣＰＵ１１は、料金算出手段として機能する。そして、次の引越し業者に対する処理へ移行する。
【００６０】
図１０のフローチャートに係る引越し料金見積もり処理が、記憶手段１３に記録されたデータベースに含まれる全ての引越し業者について実行された後、サーバ１０は、引越し料金が算出された業者の基本情報２０、予約状況８０、及び、引越し料金をユーザ端末２００へ送信する。図１１は、ユーザ端末２００のディスプレイに表示される引越し料金表示画面である。引越し料金表示画面には、引越し業者名２０７と、引越し業者画像２０８と、引越し業者紹介文２０９と、引越し料金２１０と、予約状況カレンダー２１１と、予約受付アイコン２１２とが表示される。
【００６１】
引越し業者画像２０８及び引越し業者紹介文２０９は、データベースの基本情報２０に基づいて表示される。引越し料金２１０は、図１０で示したフローチャートに係る処理により算出された料金である。予約状況カレンダー２１１は、予約状況８０に基づいて表示され、予約の空きが多い場合には丸の表示がなされ、予約の空きが少ない場合には三角の表示がなされ、予約の空きが無い場合にはバツの表示がなされる。ユーザは、表示された引越し業者の中から、予約を行う業者に対応付けられて表示された予約受付アイコン２１２への選択入力を行うことにより、引越しの予約へと進む。サーバ１０のＣＰＵ１１は、引越しの予約を受け付けると、通信手段１２を介して引越し業者端末１００へ予約の通知を行うとともに、予約状況８０に予約の追加を行う。ここで、ＣＰＵ１１は、予約受付手段として機能する。
【００６２】
なお、図１１では、一例として、２つの引越し業者の引越し料金を表示するものとしている。しかしながら、図１０で示したフローチャートに係る処理により３つ以上の引越し業者の引越し料金が算出されていれば、３つ以上の引越し業者の引越し料金を表示してもよく、１つの引越し業者の引越し料金のみが算出された場合においては、その引越し業者の引越し料金のみを表示するものとすればよい。また、図１０のフローチャートに係る処理が、サーバ１０の記憶手段１３に記録された全ての引越し業者に対して行われた結果として、一つの引越し業者の引越し料金も算出されないことも起こり得る。例えば、引越し業者の繁忙期において、ユーザが入力した引越し日時に対して、全ての業者の予約が埋まっている場合等である。このような場合には、再度、引越し情報入力画面をユーザ端末２００のディスプレイに提示し、引越し情報の再入力を促すものとすればよい。
【００６３】
上記構成により、本発明は、以下の効果を奏する。
【００６４】
・一般的に、トラックの貨物室の体積に対して満載となる量の家財を積載したとしても、家財の総重量はトラックの最大積載重量よりも小さい重量である。本実施形態に係る引越し見積もりシステムでは、家財ごとに体積を設定し、家財総体積に基づいてトラックの種類を決定している。したがって、家財の積み残しの発生を抑制することができる。
【００６５】
・引越し業者が入力する情報を統一しているため、各引越し業者は容易に、各引越し業者の事情に沿ったデータベースを構築することができる。さらに、家財の種類及び数に基づいて、複数の引越し業者の引越し料金を算出することが可能であるため、ユーザは、簡易な入力により複数の引越し業者の見積もり料金を取得することができる。
【００６６】
・作業員数と可搬体積及び最大可搬重量とを対応付けた入力を各引越し業者から受け付けるため、各引越し業者のスタッフの事情に沿った可搬体積及び最大可搬重量に基づいた引越しデータベースを構築することができる。
【００６７】
・家財総体積に対して作業員数が不足した場合、家財の搬出及び搬入にかかる時間が著しく長くなるおそれがある。また、最大家財重量に対して作業員数が不足した場合、搬出及び搬入ができない家財が発生するおそれがある。本実施形態では、作業員数を可搬体積及び最大可搬重量に基づいて決定するため、作業員数の過不足を防ぐことができる。
【００６８】
・作業員数とトラックの種類を対応付けており、トラックの貨物室の体積が、家財の運搬に十分な体積であるか否かの判断に加えて、トラックの種類が作業員数に対応するものであるか否かの判断により、トラックの種類を決定している。したがって、トラックの種類に対する、作業員の過不足を防ぐことができる。
【００６９】
＜変形例＞
（１）上記実施形態において、作業員情報５０に、最大可搬重量と可搬体積を含めるものとしたが、いずれか一方のみを作業員情報５０に含めるものとしてもよい。また、作業員数に、その作業員数で運搬可能な１つの家財の最大の体積を示す最大可搬体積を対応付けてもよく、家財の重量の合計値である、可搬重量を対応付けてもよい。
【００７０】
（２）上記実施形態のユーザ入力処理における、ユーザ情報の入力順序は、上記実施形態で示した順序に限られることはなく、適宜変更が可能である。
【００７１】
（３）引越し料金の算出には、トラック情報４０、作業員情報５０、移動料金情報６０、掛け率情報７０以外の情報を用いてもよい。例えば、引越し元及び引越し先の少なくとも一方が高層階である場合には、追加料金が発生するものとしてもよい。
【００７２】
（４）距離料金の算出に対して、距離料金に優先して用いられる特別料金を設けてもよい。例えば、大都市内でのトラック移動時間は、距離よりも道路状況に起因するところが大きい。したがって、所定の大都市内での移動に対して特別料金を設定し、特別料金を距離料金の代わりに用いるものとしてもよい。
【００７３】
（５）図１０で示した引越し料金見積もり処理において、家財総体積が可搬体積以下であるか否かを判定した後に、最大家財重量が最大可搬重量以下であるかの判定を行うものとしたが、処理の順序は問わない。また、家財総体積に基づいてトラックを選出した後に、作業員数を決定してもよい。この場合には、選出されたトラックと対応付けられた作業員数の中で、最大可搬重量が最大家財重量以上であり、且つ、可搬体積が家財総体積以上である、最小の作業員数を用いればよい。
【００７４】
（６）上記実施形態において、サーバ１０のＣＰＵ１１が、業者家財情報受付手段、トラック情報受付手段、及び、作業員情報受付手段として機能するものとした。しかしながら、引越し業者は、引越し業者端末１００を用いて業者家財情報、トラック情報、及び、作業員情報を入力するものであるため、引越し業者端末を、業者家財情報受付手段、トラック情報受付手段、及び、作業員情報受付手段として機能するものであると見なすこともできる。また、サーバ１０のＣＰＵ１１が、ユーザ家財情報受付手段として機能するものとしたが、ユーザ端末２００をユーザ家財情報受付手段として機能するものであると見なすこともできる。
【符号の説明】
【００７５】
１０…サーバ、１１…ＣＰＵ、１２…通信手段、１３…記憶手段、２０…基本情報、３０…業者家財情報、４０…トラック情報、５０…作業員情報、１００…業者端末、２００…ユーザ端末。
【図１】
2015210568.tif 000003
【図２】
2015210568.tif 000004
【図３】
2015210568.tif 000005
【図４】
2015210568.tif 000006
【図５】
2015210568.tif 000007
【図６】
2015210568.tif 000008
【図８】
2015210568.tif 000009
【図９】
2015210568.tif 000010
【図１０】
2015210568.tif 000011
【図１１】
2015210568.tif 000012
【図７】
2015210568.tif 000013